(57)【要約】【課題】携帯端末に実装される程度に小型で、且つ広帯域で動作するループアンテナを実現する。【解決手段】本発明によるループアンテナは３次元構造のループアンテナであり、４つのアンテナ面（１ａ〜１ｄ）を有する。第１及び第３のアンテナ面にはｘ方向に延在する主導体トラック（２）とｚ方向に延在するサブ導体トラック（３）とが交互に形成され、第２及び第４のアンテナ面にはｙ方向に延在する主導体トラック（２）とｚ方向に延在するサブ導体トラック（３）とが交互に形成される。隣接する２本の主導体トラックの端部にサブ導体トラックが接続されて折り返し部が形成される。各アンテナ面の主導体トラック及びサブ導体トラックは、１対の給電点を有する１本のループアンテナを形成するように相互接続する。本発明によるループアンテナは、UHF帯域内に３つの共振周波数が形成されるので、小型で広帯域のループアンテナが実現される。【選択図】図１
2010177977.tif 000002
【特許請求の範囲】
【請求項１】
ループアンテナを構成する導体トラックが形成されている第１〜第４の４つのアンテナ面を有し、ｘ，ｙ及びｚ座標を３次元直交座標系を形成するものとした場合に、互いに対向する第１のアンテナ面と第３のアンテナ面とはｘ−ｚ面に沿って互いに平行に延在し、互いに対向する第２のアンテナ面と第４のアンテナ面とはｙ−ｚ面に沿って互いに平行に延在し、
第１及び第３のアンテナ面には、ｘ方向に延在する複数の主導体トラックと、ｚ方向に延在する複数のサブ導体トラックとが交互に形成され、
第２及び第４のアンテナ面には、ｙ方向に延在する複数の主導体トラックと、ｚ方向に延在する複数のサブ導体トラックとが交互に形成され、
各アンテナ面における隣接する２本の主導体トラックの端部にサブ導体トラックが接続されて折り返し部を形成し、
前記第１〜第４のアンテナ面に形成されている主導体トラック及びサブ導体トラックは、１対の給電点を有する１本のループアンテナを形成するように相互接続されていることを特徴とするループアンテナ。
【請求項２】
請求項１に記載のループアンテナにおいて、前記１対の給電点は第１のアンテナ面に形成され、第３のアンテナ面の主導体トラックのｘ方向の長さをＷ1とし、第２及び第４のアンテナ面の主導体トラックのｙ方向の長さをＷ2とした場合に、Ｗ1＜Ｗ2となるように設定したことを特徴とするループアンテナ。
【請求項３】
請求項２に記載のループアンテナにおいて、前記第１及び第３のアンテナ面の各主導体トラックはｚ軸方向に沿って同一のピッチｄ1で形成され、前記第２及び第４のアンテナ面の各主導体トラックはｚ軸方向に沿って同一のピッチｄ2で形成され、ピッチｄ1とｄ2は、ｄ1＞ｄ2となるように設定され、
第３のアンテナ面に形成されている主導体トラックの本数をｎ1とし、第２及び第４のアンテナ面に形成されている主導体トラックの本数をｎ2とした場合、ｎ1＜ｎ2となるように設定されていることを特徴とするループアンテナ。
【請求項４】
請求項３に記載のループアンテナにおいて、前記主導体トラックの長さＷ1及びＷ2並びに主導体トラックの本数は、当該ループアンテナの１次共振周波数及び高次共振周波数における電流ベクトルの位相反転点が、前記第２及び第４のアンテナ面の主導体トラック上に位置するように設定されていることを特徴とするループアンテナ。
【請求項５】
請求項４に記載のループアンテナにおいて、当該ループアンテナは、携帯端末に実装され、ＵＨＦ帯域の電波を受信するように構成され、ＵＨＦ帯域内に複数の共振周波数を有することを特徴とするループアンテナ。
【発明の詳細な説明】
【技術分野】
【０００１】
本発明は、ループアンテナの基本概念を３次元構造に応用した３次元構造ループアンテナに関するものである。
【背景技術】
【０００２】
携帯電話や小型の通信端末は年々小型化され、携帯性の高い無線通信機器として広く用いられている。これら携帯端末には、２００６年４月より開始されたワンセグサービスを受信する機能が実装されている。ワンセグサービスはUHF帯を用いたサービスのため、UHF帯域で受信可能なアンテナを搭載する必要がある。一方、ワンセグサービスで用いられる帯域は、４７０〜７７０MHzの帯域であり、３００MHzの帯域幅を有する広帯域である。従って、携帯電話等の携帯端末を用いてワンセグサービスを受信するためには、小型で広帯域のアンテナが必要となる。
【０００３】
ワンセグサービスにおいて使用するUHF帯のうちの最も低い周波数のうち、例えば、４７０MHzの波長は６０ｃｍ以上の長さになる。この周波数帯のアンテナとして、単純に導線を１回巻いたループアンテナを、小型の通信端末に実装することは事実上困難である。このような理由により、従来のアンテナ装置では、受信アンテナの高次モードを利用したり、共振周波数の異なる複数のアンテナを組み合わすことにより、広帯域化が図られている。
【０００４】
このようにして広帯域化が図られたアンテナ装置のうち、給電している電極部と無給電の電極を有するアンテナを用い、給電している電極部をグランド板に導通させるスイッチを切り替えることにより基本モードの周波数を変化させるアンテナ装置が知られている（例えば、特許文献１参照）。また、ループアンテナの一部にショートする部分を導入することにより、電流の流れるルートの長い経路と短い経路とを形成し、基本モードと高次モードを利用するループアンテナも既知である（例えば、特許文献２参照）。さらに、アンテナ素子を折り返し、共振周波数の異なるアンテナを２つ組み合わせて広帯域化が図られたアンテナも公知である（例えば、特許文献３参照）。
【特許文献１】特許第４０５２３５９号公報
【特許文献２】特開２００３−１２４７３３号公報
【特許文献３】特開２００７−１８１０７６号公報
【発明の概要】
【発明が解決しようとする課題】
【０００５】
特許文献１に記載のアンテナ装置では、基本モードの共振周波数を切り替えることが可能である。しかしながら、高次モードの共振周波数を変化させることができず、基本モードの変化しか利用できないという欠点がある。また、特許文献２に記載のループアンテナでは、高次モードの周波数と基本モードの周波数との間に大きな周波数差ができるため、複数のモードを利用することは困難である。さらに、特許文献３に記載のアンテナ装置は、UHF帯で使用する場合、アンテナ素子長が長くなり、端末装置に内蔵することは困難である。
【０００６】
本発明の目的は、携帯端末に実装される程度に小型で、且つ広帯域で動作するループアンテナを実現することにある。
【課題を解決するための手段】
【０００７】
本発明によるループアンテナは、ループアンテナを構成する導体トラックが形成されている第１〜第４の４つのアンテナ面を有し、ｘ，ｙ及びｚ座標を３次元直交座標系を形成するものとした場合に、互いに対向する第１のアンテナ面と第３のアンテナ面とはｘ−ｚ面に沿って互いに平行に延在し、互いに対向する第２のアンテナ面と第４のアンテナ面とはｙ−ｚ面に沿って互いに平行に延在し、
第１及び第３のアンテナ面には、ｘ方向に延在する複数の主導体トラックと、ｚ方向に延在する複数のサブ導体トラックとが交互に形成され、
第２及び第４のアンテナ面には、ｙ方向に延在する複数の主導体トラックと、ｚ方向に延在する複数のサブ導体トラックとが交互に形成され、
各アンテナ面における隣接する２本の主導体トラックの端部にサブ導体トラックが接続されて折り返し部を形成し、
前記第１〜第４のアンテナ面に形成されている主導体トラック及びサブ導体トラックは、１対の給電点を有する１本のループアンテナを形成するように相互接続されていることを特徴とする。
【０００８】
本発明では、アンテナループを構成する導体トラックが３次元的に配列されているので、長いループ長であっても、アンテナの実質的な占有面積を大幅に低減することが可能になる。さらに、主導体トラックの配列本数（折り返し数）を調整することにより、所望の共振周波数のループアンテナを設計することが可能になる。しかも、高次モードを有効に利用することができるので、小型で且つ広帯域のループアンテナが実現される。
【０００９】
本発明によるループアンテナの好適実施例は、前記１対の給電点は第１のアンテナ面に形成され、第３のアンテナ面の主導体トラックのｘ方向の長さをＷ1とし、第２及び第４のアンテナ面の主導体トラックのｙ方向の長さをＷ2とした場合に、Ｗ1＜Ｗ2となるように設定したことを特徴とする。
【００１０】
本発明によるループアンテナの別の好適実施例は、第１及び第３のアンテナ面の各主導体トラックはｚ軸方向に沿って同一のピッチｄ1で形成され、前記第２及び第４のアンテナ面の各主導体トラックはｚ軸方向に沿って同一のピッチｄ2で形成され、ピッチｄ1とｄ2は、ｄ1＞ｄ2となるように設定され、
第３のアンテナ面に形成されている主導体トラックの本数をｎ1とし、第２及び第４のアンテナ面に形成されている主導体トラックの本数をｎ2とした場合、ｎ1＜ｎ2となるように設定されていることを特徴とする。
【００１１】
本発明による別の好適実施例は、主導体トラックの長さＷ1及びＷ2並びに主導体トラックの本数は、当該ループアンテナの１次共振周波数及び高次共振周波数における電流ベクトルの位相反転点が、前記第２及び第４のアンテナ面の主導体トラック上に位置するように設定されていることを特徴とする。
【００１２】
本発明によるループアンテナの別の好適実施例は、当該ループアンテナは、携帯端末に実装され、ＵＨＦ帯域の電波を受信するように構成され、ＵＨＦ帯域内に複数の共振周波数を有することを特徴とする。
【発明の効果】
【００１３】
本発明によれば、４つのアンテナ面に形成される導体トラックの折り返し数を適宜調整することにより、電流ベクトルの位相反転点は、給電点が形成されていないアンテナ面及び当該アンテナ面と対向するアンテナ面に形成されるので、小型で且つ広帯域で動作するループアンテナが実現される。
【図面の簡単な説明】
【００１４】
【図１】本発明によるループアンテナの一例を示す斜視図である。
【図２】各アンテナ面の構成を示す図である。
【図３】１次及び高次共振周波数における位相反転点の位置を示す線図である。
【図４】１次モードにおける電流ベクトルを示す図である。
【図５】２次モードにおける電流ベクトルを示す図である。
【図６】３次モードにおける電流ベクトルを示す図である。
【図７】４次モードにおける電流ベクトルを示す図である。
【図８】図１に示すループアンテナのVSWR特性を示す図である。
【図９】図１に示すループアンテナの１次モードの放射パターンを示す図である。
【図１０】図１に示すループアンテナの２次モードの放射パターンを示す図である。
【図１１】図１に示すループアンテナの３次モードの放射パターンを示す図である。
【発明を実施するための形態】
【００１５】
図１は本発明によるループアンテナの一例を示す線図であり、図２は各アンテナ面における導体トラックの配列状態及び寸法を示す図である。本発明によるループアンテナは、４個のアンテナ面１ａ〜１ｄを有する。ｘｙｚ座標系を３次元直交座標系とした場合、第１のアンテナ面１ａ及びこれと対向する第３のアンテナ面１ｃはｘ−ｚ面に沿って延在し、第２のアンテナ面１ｂ及びこれと対向する第４のアンテナ面１ｄはｙ−ｚ面に沿って延在する。第１及び第３のアンテナ面１ａ及び１ｃには、ｘ方向に沿って延在する主導体トラック２（図面を明瞭にするため、各アンテナ面の１本の主導体トラックだけに符号を付す）とｚ方向に延在するサブ導体トラック３（図面を明瞭にするため、各アンテナ面の１本のサブ導体トラックだけに符号を付す）とが交互に形成され、第２及び第４のアンテナ面１ｂ及びｄには、ｙ方向に延在する主導体トラックとｚ方向に延在するサブ導体トラックが交互に形成される。すなわち、互いに隣接する主導体トラックは、サブ導体トラックを挟んで折り返された構造とする。すなわち、隣接する主導体トラックの端部にサブ導体トラックが接続されて、折り返し部を形成する。これら主導体トラック及びサブ導体トラックは１対の給電点を有する１本のループアンテナを形成するように相互接続する。従って、ループアンテナを構成する導体トラックは、３次元的に配列される。本例では、第１のアンテナ面１ａに１対の給電点Ｐ１及びＰ２を形成する。尚、各アンテナ面間の導体トラックの接続点を符号「イ」、「ロ」、「ハ」及び「ニ」で示す。
【００１６】
本例では、ループアンテナは、例えばポリイミドやポリエチレン等の誘電体フィルムを基板として用い、基板上に例えば銅箔等の導電性のトラックを所望の線幅及び長さに形成する。尚、導体トラックはエッチング処理により形成することが可能である。
【００１７】
一例として、図２に示すように、各アンテナ面における主導体トラック及びサブ導体トラックの線幅は０．５ｍｍに設定する。第３のアンテナ面に形成した主導体トラックのｘ方向の長さをＷ１は、W1＝４０ｍｍとし、第２及び第４のアンテナ面に形成した導体トラックのｙ方向の長さＷ2は、Ｗ2＝８０ｃｍとする。尚、第１のアンテナ面は給電点が形成されているため、主導体トラックが２本の導体トラックに分割されているが、アンテナ動作の点においては、１本の主導体トラックと同様な動作を行うため、給電点が存在することを除き、ｘ方向の長さがＷ１＝４０ｍｍの主導体トラックが形成されているものとすることができる。また、第１及び第３のアンテナ面の主導体トラックのｚ方向の形成ピッチ（間隔）ｄ1は、ｄ1＝２．００ｍｍとし、５本の主導体トラックを形成する。第２及び第４のアンテナ面の主導体トラックのｚ方向の形成ピッチｄ2は、ｄ2＝１．３３３ｍｍとし、７本の主導体トラックを形成する。各アンテナ面の主導体トラックの長さ及びピッチ並びに導体トラックの本数は、ループアンテナの共振周波数に応じて適宜設定される。特に、第３のアンテナ面に形成されている主導体トラックの本数をｎ1とし、第２及び第４のアンテナ面に形成されている主導体トラックの本数をｎ2とした場合、ｎ1＜ｎ2となるように設定することにより、すなわち、第２及び第４のアンテナ面の導体トラックの折り返し数を第３のアンテナ面の折り返し数よりも多くすることにより、電流ベクトルの位相反転点を所望のアンテナ面に形成することが可能である。
【００１８】
共振周波数に関して、本例のループアンテナは、１次共振周波数が４７０ＭＨｚ、２次共振周波数が５６６ＭＨｚ、及び３次共振周波数が６９３ＭＨｚとなるように設定されている。
【００１９】
本例では、第２及び第４のアンテナ面に形成した主導体トラックの長さは、第１及び第３のアンテナ面に形成した主導体トラックの長さよりも長くなるように設定すると共に主導体トラックの本数についても、第２及び第４のアンテナ面に形成した主導体トラックの本数が第３のアンテナ面に形成した主導体トラックの本数よりも多くなるように設定する。このように設定することにより、ループアンテナの電流ベクトルの位相反転点が第２及び第４のアンテナ面の主導体トラック上に位置するように設定することができる。
【００２０】
図３は一般的なループアンテナの基本概念を、電流分布の観点に基づき模式的に示す図である。当該アンテナループは、１対の給電点を有する短辺１０ａと、これと対向する短辺１０ｃと、２つの短辺を挟んで対向する２つの長辺１０ｂ及び１０ｄとにより構成される。各短辺及び長辺は、複数の主導体トラック及びサブ導体トラックを含み、各辺の導体トラック長は適宜設定できるものとする。ループアンテナにおいては、ループアンテナの全長（導体トラックの全長）をＬとした場合、Ｌ＝λ1となる波長λ1の周波数において共振する。同様に高次モードでも共振し、Ｌ＝２×λ2（２次モード）、Ｌ＝３×λ3（３次モード）、及びＬ＝４×λ4（４次モード）となる各波長λ2〜λ4に対応する周波数においても共振する。
【００２１】
図３（ａ）は１次共振モードにおける電流分布を示す。１次モードにおける電流分布に関して、電流ベクトルの位相が反転する２つの位相反転点ｒ１及びｒ２、すなわち、電流ベクトルの位相が正から負に又は負から正に反転する位相反転点が形成される。本例では、２つの位相反転点ｒ１及びｒ２がそれぞれ長辺１０ｂ及び１０ｄ上に位置する。すなわち、図１に示す実施例のループアンテナにおいて、２つの位相反転点ｒ１及びｒ２は、長辺１０ｂ及び１０ｄの中間点にそれぞれ位置する。したがって、長辺１０ａおよび１０ｃが放射に寄与し、図３におけるｘｚ面において８の字の放射パターン、ｙｚ面において無指向の放射パターンが得られる。
【００２２】
図３（ｂ）は２次モードにおける電流分布を示す。２次モードにおいて、電流ベクトルについて４つの位相反転点ｒ１〜ｒ４が形成される。これら４つの位相反転点のうち２つの位相反転点ｒ１及びｒ２は第１の長辺１０ａ上に位置し、第３及び第４の位相反転点ｒ3及びｒ４が第２の長辺１０ｄ上に位置するように導体トラックの長さを設定する。このように位相反転点が形成されるためには、各辺の１０ａ〜１０ｄの長さ及び導体トラックの本数（折り返し数）を適切に設定することにより、各位相反転点を長辺上に位置させることが可能である。計算によれば、図１に示す実施例のループアンテナでは、位相反転点ｒ１及びｒ２は第２の辺に位置し、位相反転点ｒ３及びｒ４は第４の辺に位置する。２次モード以降については放射に寄与する電流ベクトルが対称的に並ばないため、放射パターンは１次モードのような８の字や無指向の放射パターンは得られない。
【００２３】
図３（ｃ）は、３次モードにおける電流分布を示す。３次モードにおいて、電流ベクトルについて、６つの位相反転点ｒ１〜ｒ６が形成される。図１に示す実施例のループアンテナにおいては、位相反転点ｒ１〜ｒ３は第２の辺に位置し、位相反転点ｒ４〜ｒ６は第４の辺に位置する。
【００２４】
図３（ｄ）は、４次モードにおける電流分布を示す。４次モードにおいて、電流ベクトルの位相反転点ｒ１〜ｒ８が形成され、位相反転点ｒ１〜ｒ４は第２の辺に位置し、位相反転点ｒ５〜ｒ８は第４の辺に位置するように設定する。
【００２５】
次に、図１に示す本発明によるループアンテナの１次モード及び高次モードにおける電流ベクトルについて説明する。図４〜図７は１次モード〜４次モードにおける電流ベクトルをそれぞれ示す。図４〜図７の各図において、（ａ）〜（ｄ）は、第１のアンテナ面〜第４のアンテナ面における電流ベクトルをそれぞれ示す。説明の便宜上、各図において、主導体トラックについて左から右に向かう矢印を正方向とし、右から左に向かう矢印は負方向とする。また、サブ導体トラックについて、下から上に向かう矢印は正方向とし、上から下に向かう矢印は負方向とする。また、方向が互いに反対向きの電流ベクトル同士は相殺し合うものとする。各図において、二重丸で示す点は位相が反転する位相反転点を示し、位相反転点において電流ベクトルの方向が反転する。
【００２６】
［１次モード（図４）］
１次モードにおいては、第２及び第４のアンテナ面の中点に位相反転点がそれぞれ形成される。第１のアンテナ面について説明する。主導体トラックの電流ベクトル（ｘ方向）に関して、＋ｘ方向成分の電流ベクトルが形成される。サブ導体トラックの電流ベクトル（ｚ方向）に関しては、全て負方向であり、−ｚ方向の電流ベクトルが形成される。
【００２７】
第２のアンテナ面について、図４（ｂ）に示すように、主導体トラック（ｙ方向）及びサブ導体トラック（ｚ方向）共に全て相殺し合う。
【００２８】
第３のアンテナ面について、主導体トラックの電流ベクトル（ｘ方向）に関して、＋ｘ方向成分の電流ベクトルが形成され、サブ導体トラックの電流ベクトル（ｚ方向）については＋ｚ方向の電流ベクトルが形成される。
【００２９】
第４のアンテナ面について、図４（ｄ）に示すように、主導体トラック及びサブ導体トラック共に全て相殺し合う。
【００３０】
ループアンテナ全体として、第１及び第３のアンテナ面のサブ導体トラックの電流ベクトルは互いに相殺し合い、主導体トラックの＋ｘ方向の電流ベクトルだけが残り、放射に寄与することになる。
【００３１】
［２次モード（図５）］
２次モードにおいては、第２及び第４のアンテナ面にそれぞれ２つの位相反転点が形成される。第１のアンテナ面について説明する。主導体トラックの電流ベクトル（ｘ方向）に関して、＋ｘ方向の電流ベクトルが形成される。サブ導体トラックの電流ベクトル（ｚ方向）に関しては、全て負方向であり、−ｚ方向の電流ベクトルが形成される。
【００３２】
第２のアンテナ面について、主導体トラック（ｙ方向）に関して、＋ｙの電流ベクトルが形成される。また、サブ導体トラック（ｚ方向）に関して、−ｚ方向の電流ベクトルが形成される。
【００３３】
第３のアンテナ面について、主導体トラックの電流ベクトル（ｘ方向）に関して、−ｘ方向の電流ベクトルが形成され、サブ導体トラックの電流ベクトル（ｚ方向）については−ｚ方向の電流ベクトルが形成される。
【００３４】
第４のアンテナ面について、主導体トラックの電流ベクトルに関して、−ｙ方向の電流ベクトルが形成される。サブ導体トラックに関しては、−ｚ方向の電流ベクトルが形成される。
【００３５】
ループアンテナ全体として、ｘ方向の電流ベクトルに関しては相殺し合い、ｙ方向に関しても相殺し合い、サブ導体トラックに形成される−ｚ方向の電流ベクトルが形成され、当該電流ベクトルが放射に寄与することになる。
【００３６】
［３次モード（図６）］
３次モードにおいては、第２及び第４のアンテナ面にそれぞれ３つの位相反転点が形成される。第１のアンテナ面について説明する。主導体トラックの電流ベクトル（ｘ方向）に関して、＋ｘ方向成分の電流ベクトルが形成される。サブ導体トラックの電流ベクトル（ｚ方向）に関しては、全て負方向であり、−ｚ方向の電流ベクトルが形成される。
【００３７】
第２のアンテナ面について、主導体トラック（ｙ方向）及びサブ導体トラック（ｚ方向）共に全て相殺し合う。
【００３８】
第３のアンテナ面について、主導体トラックの電流ベクトル（ｘ方向）に関して、＋ｘ方向の電流ベクトルが形成され、サブ導体トラックの電流ベクトル（ｚ方向）については＋ｚ方向の電流ベクトルが形成される。
【００３９】
第４のアンテナ面について、主導体トラック及びサブ導体トラック共に全て相殺し合う。
【００４０】
ループアンテナ全体として、第１及び第３のアンテナ面のサブ導体トラックの電流ベクトルは互いに相殺し合い、主導体トラックの＋ｘ方向の電流ベクトルだけが残り、放射に寄与することになる。
【００４１】
［４次モード（図７）］
４次モードにおいては、第２及び第４のアンテナ面にそれぞれ４つの位相反転点が形成される。第１のアンテナ面について説明する。主導体トラックの電流ベクトル（ｘ方向）に関して、＋ｘ方向の電流ベクトルが形成される。サブ導体トラックの電流ベクトル（ｚ方向）に関しては、全て負方向であり、−ｚ方向の電流ベクトルが形成される。
【００４２】
第２のアンテナ面について、主導体トラック（ｙ方向）に関して、＋ｙの電流ベクトルが形成される。また、サブ導体トラック（ｚ方向）に関して、−ｚ方向の電流ベクトルが形成される。
【００４３】
第３のアンテナ面について、主導体トラックの電流ベクトル（ｘ方向）に関して、−ｘ方向の電流ベクトルが形成され、サブ導体トラックの電流ベクトル（ｚ方向）については−ｚ方向の電流ベクトルが形成される。
【００４４】
第４のアンテナ面について、主導体トラックの電流ベクトルに関して、−ｙ方向の電流ベクトルが形成される。サブ導体トラックに関しては、−ｚ方向の電流ベクトルが形成される。
【００４５】
ループアンテナ全体として、ｘ方向の電流ベクトルに関しては相殺し合い、ｙ方向に関しても相殺し合い、ｚ方向に関して−ｚ方向の電流ベクトルが形成され、当該電流ベクトルが放射に寄与する。
【００４６】
次に、図１に示すループアンテナのVSWR（Voltage Standing Wave Ratio）特性について説明する。図８は、図１に示すループアンテナのVSWR特性についてシュミレーションした結果を示す。1次モードは、UHF帯の下限周波数である470MHz付近で共振し、２次モードは566MHzにおいて共振し、３次モードは693MHzにおいて共振している。従って、図１に示すループアンテナは、共振周波数が470MHzからほぼ100MHzの間隔で形成され、UHF帯内において１次〜３次の３つの共振周波数が形成される。
【００４７】
図９〜図１１に共振時の放射パターンを示す。図９は１次モードにおける放射パターンを示す。１次モードにおいて、ｙ−ｚ面では無指向性を有し、ｘ−ｙ面及びｘ−ｚ面においては８の字型の指向性を有する。また、２次モードにおいては、偏波面が変わるものの、ｘ−ｙ面では無指向性を有し、ｙ−ｚ面及びｘ−ｚ面では８の字型の指向性を有する。さらに、３次モードにおいて、ｙ−ｚ面において無指向性を有し、ｘ−ｙ面及びｘ−ｚ面において８の字型の指向性を有する。このように、本発明によるループアンテナにおいては、１次〜３次モードにおいて、通常のループアンテナと同様なアンテナ動作が行われる。
【００４８】
共振周波数が470MHzの場合、対応する波長は６４ｃｍである。これに対して、図１に示す本発明によるループアンテナの周囲長は２４ｃｍである。従って、占有面積の観点から見た場合、本願発明によるループアンテナは、従来のループアンテナの約１／６程度に低減される。従って、本発明によれば、小型で且つ広帯域のループアンテナが実現される。特に、携帯端末に実装される程度に小型化可能であり、且つ、UHF帯域内に３つの共振周波数が形成されるので、ワンセグサービスを受信できる携帯端末に実装されるループアンテナが実現される。
【符号の説明】
【００４９】
１ａ〜１ｄ  アンテナ面
２  主導体トラック
３  サブ導体トラック
Ｐ１，Ｐ２  給電点
イ、ロ、ハ、ニ  接続点
ｒ１〜ｒ８  位相反転点
【図１】
2010177977.tif 000003
【図２】
2010177977.tif 000004
【図３】
2010177977.tif 000005
【図４】
2010177977.tif 000006
【図５】
2010177977.tif 000007
【図６】
2010177977.tif 000008
【図７】
2010177977.tif 000009
【図８】
2010177977.tif 000010
【図９】
2010177977.tif 000011
【図１０】
2010177977.tif 000012
【図１１】
2010177977.tif 000013